(57)【特許請求の範囲】
【請求項１】
二輪車を駐車装置側にロックするための施錠装置を備え、この施錠装置はその駆動部にソレノイドを使用して成るかまたは電磁モータを使用して成るものである駐車装置と、前記施錠装置のロック・アンロックを操作する管理サーバと、課金を処理する課金サーバと、から成る二輪車の駐車システムに於いて、前記管理サーバはサービスの受け付けを容易なものにするべくインターネットを利用して、ユーザーに対してＷＷＷページを提供し、このＷＷＷページ上でユーザーに特定の駐車装置または二輪車を選択させ、その選択情報を受け付け、且つ後述する課金サーバがユーザーを認証した場合に前記施錠装置のロック・アンロックの操作を行うものであり、前記課金サーバはユーザーからの課金情報を安全に受け取るべくインターネット接続に寄ることなく、前記ＷＷＷページ上に設けた電話呼出タグの部分をユーザーが選択したら前記電話呼出タグに記載された電話番号を呼び出し、この電話を受けてユーザーからの課金情報の入力を受け付けると共にユーザー認証を行ない、認証した場合には前記管理サーバに前記施錠装置のロック・アンロックの操作を依頼すると共に課金を実行するものであることを特徴とする二輪車の駐車システム。
【請求項２】
門のロックを行なうための施錠装置を備え、この施錠装置はその駆動部にソレノイドを使用して成るかまたは電磁モータを使用して成るものである駐車場囲いと、前記施錠装置のロック・アンロックを操作する管理サーバと、課金を処理する課金サーバと、から成る二輪車の駐車システムに於いて、前記管理サーバはサービスの受け付けを容易なものにするべくインターネットを利用して、ユーザーに対してＷＷＷページを提供し、このＷＷＷページ上でユーザーに特定の駐車装置または二輪車を選択させ、その選択情報を受け付け、且つ後述する課金サーバがユーザーを認証した場合に前記施錠装置のロック・アンロックの操作を行うものであり、前記課金サーバはユーザーからの課金情報を安全に受け取るべくインターネット接続に寄ることなく、前記ＷＷＷページ上に設けた電話呼出タグの部分をユーザーが選択したら前記電話呼出タグに記載された電話番号を呼び出し、この電話を受けてユーザーからの課金情報の入力を受け付けると共にユーザー認証を行ない、認証した場合には前記管理サーバに前記施錠装置のロック・アンロックの操作を依頼すると共に課金を実行するものであることを特徴とする二輪車の駐車システム。
【発明の詳細な説明】
【０００１】
【発明の属する技術分野】
この発明は、ＷＷＷに接続可能な携帯電話を用いて、二輪車を保管したりレンタルすることが出来るようにすると共に、このサービスに対する課金を行なう、二輪車の駐車システムに関するものである。
【０００２】
【従来の技術】
近年携帯電話からＷＷＷ(World Wide Web)に接続して、いろいろな情報を取り寄せたり、ショッピングを行なうことが出来るようになっている。ＷＷＷは情報閲覧性に優れ、かつソフトウェア的な処理も行なえるため、各種サービスのためのプラットホームと成っている。また携帯電話では、Ｃｏｍｐａｃｔ−ＨＴＭＬ(Hyper Text Markup Language)やＨＤＭＬ(Handheld Device Markup Language)が記述言語として採用されＨＴＴＰ(Hyper Text Transfer Protocol)やＨＤＴＰ(Habdheld Device Markup Language)がプロトコルとして採用されている。
【０００３】
このような携帯電話を含む携帯通信端末を使用して、二輪車のレンタルや駐車サービスを受けることが出来かつ課金処理が出来れば、駐車管理に必要な人員を削減したりゼロにすることが可能であり、駐車場の経費削減やより多数台の駐車を目的とした施設の提供が可能と成るはずである。またユーザー側にしてみれば情報提示に優れバックでいろいろ処理が出来、且つ操作の容易なＷＷＷからサービスを購入したり料金を精算することが可能に成り、煩わしい問題が解消されるはずである。
【０００４】
特に課金に関しては、手軽なクレジットカードや、電話料金と共に請求される課金方式を利用出来るのであれば、ユーザーにとってこれほど便利なことはないであろう。
【０００５】
【発明が解決しようとする課題】
駐車やレンタルの操作を、幾つもの駐車場を抱える管理サーバに対しＷＷＷを利用して行なわせようとすると、設備費や運用費の関係上インターネットを利用することが望ましい。しかしながら、幾つものルータを経由してパケット通信を行なうインターネットの仕組みからすれば、クレジットカード番号など秘匿性の高い課金情報をインターネット上に流すのは危険なことでもある。
【０００６】
このように手軽に利用出来る、携帯電話によるインターネット経由の二輪車のレンタルサービスや駐車サービスではあるが、一方で上記のような課金に対する危険を伴なうという二律背反が存在する。この発明は上述のような問題点を解消して、ＷＷＷによるサービスを受ける手続き上の利便性の上に、より安全な課金システムを被せた二輪車の駐車システムの提供を課題とするものである。なお、ここで言う二輪車とは、自転車、電動アシスト自転車、原動機付き自転車などのことである。
【０００７】
【課題を解決するための手段及び作用】
上記の課題は二輪車を駐車装置側にロックするための施錠装置を備え、この施錠装置はその駆動部にソレノイドを使用して成るかまたは電磁モータを使用して成るものである駐車装置と、前記施錠装置のロック・アンロックを操作する管理サーバと、課金を処理する課金サーバと、から成る二輪車の駐車システムに於いて、前記管理サーバはサービスの受け付けを容易なものにするべくインターネットを利用して、ユーザーに対してＷＷＷページを提供し、このＷＷＷページ上でユーザーに特定の駐車装置または二輪車を選択させ、その選択情報を受け付け、且つ後述する課金サーバがユーザーを認証した場合に前記施錠装置のロック・アンロックの操作を行うものであり、前記課金サーバはユーザーからの課金情報を安全に受け取るべくインターネット接続に寄ることなく、前記ＷＷＷページ上に設けた電話呼出タグの部分をユーザーが選択したら前記電話呼出タグに記載された電話番号を呼び出し、この電話を受けてユーザーからの課金情報の入力を受け付けると共にユーザー認証を行ない、認証した場合には前記管理サーバに前記施錠装置のロック・アンロックの操作を依頼すると共に課金を実行するものであることを特徴とする二輪車の駐車システムとすることによって達成される。なお管理サーバと課金サーバとは、同一マシン上にあっても、別マシン上にあってもよい。
【０００８】
レンタルサービスでは実質的に二輪車を選択させ、駐車（保管）サービスでは駐車装置を選択させる。管理サーバはユーザーに対してＷＷＷページを提供し、ユーザーはこのＷＷＷページを介してレンタルサービスや駐車サービスを予約したりその場で受けることが出来る。従って非常にわかりやすいインターフェースであり、引き続いてシームレスに課金情報の入力へと入って行くことが出来る。この際ＷＷＷページ上に設けた電話呼出タグを選択させることにより、携帯電話から所定の番号へ電話を掛けることが出来るように設定しておき、この電話回線を用いてユーザーから課金情報の入力を受け付ける。これは音声対話方式（自動受付方式など）としても、プッシュボタン入力方式などとしてもよい。この課金情報を課金サーバで認証して本人確認が取れたら、前記管理サーバに施錠装置のロック・アンロックの操作を依頼すると共に課金を実行する。管理サーバは主としてレンタルサービスの場合では二輪車のアンロック操作を行ない、また返却された時にはロック操作を行ない、駐車サービスの場合では二輪車のロック操作を行ない、ユーザーが引き取りに戻った時にはアンロック操作を行なう。
【０００９】
即ちレンタルサービスや駐車サービスを予約したりその場で受ける際にはインターネット回線を使用し、クレジットカード番号などの課金情報を受ける場合には電話回線を使用するものである。従ってユーザーは安心して課金情報を流すことが出来る。なお例えばＤＯＣＯＭＯ社のｉ−ｍｏｄｅ（商標）端末で使用されるＣｏｍｐａｃｔ−ＨＴＭＬでは、電話呼出タグはｐｈｏｎｅｔｏタグと呼称されるものである。
【００１０】
なお上記では、施錠装置は駐車装置に備えられており、駐車装置と二輪車との結合関係をロック・アンロックするものであるが、そうではなくて、駐車場囲いに取り付けた門のロック・アンロックを行なう施錠装置を備え、駐車場囲いの内部では駐車装置に施錠装置を設けずに二輪車を自由にさせる構成も可能である。この場合には駐車場の出入り時に、ユーザーと二輪車のチェックを行なうようにする。なお更に安全のために各々の駐車装置に施錠装置を取り付けるようにしてよい。
【００１１】
次に、上記ではＷＷＷページ上に設けた電話呼出タグの記載に基づいて電話を受け、ユーザーからの課金情報の入力を受け付けるものとして設計したが、電話回線を利用するのではなく、アンカータグの記載に基づいてプライベートネットワークを介した通信を行なうものとして設計することが可能である。このようなプライベートネットワークの一例として専用線(Leased Line)を上げることが出来る。専用線の場合にはインターネットを通らない通信が可能である。
【００１２】
なおプライベートネットワークを介した通信を行なうものでは、ＷＷＷページの提供自体をプライベートネットワークを利用するようにしても良い。セキュアなＷＷＷページを介してユーザーに二輪車を選択させたり駐車装置を選択させると共に、課金情報の入力を受け付け、駐車装置や駐車場囲いの施錠装置のロック・アンロックを操作する。従って最初から最後までインターネットを経由しない通信が可能である。
【００１３】
なお、この発明では施錠装置の駆動部にソレノイドを使用したり電磁モータを使用するものを上げることが出来る。ソレノイドの作動杆や電磁モータの回転軸が鍵穴に作用するようにしたり、鍵穴に作用する油圧ピストンを駆動するように設計することが出来る。しかしながら駆動部にはソレノイドや電磁モータ以外の駆動源を利用することも可能である。
【００１４】
【発明の実施の形態】
以下この発明の幾つかの実施形態に付き図面を参照しながら説明するが、この発明はこれ等の実施形態にのみ限定されるものではない。
【００１５】
（第１実施形態）
図１乃至図６によって、この発明の第１実施形態を示す。ＷＷＷに接続可能な携帯電話端末から発信された電波は基地局４のアンテナ４０に拾われ、この電話会社のパケット網からインターネット接続センターを介しインターネットに接続されている。管理サーバ１は、通信部１０、ＷＷＷサーバ１１、制御プログラム１２から構成されており、通信部１０を介してインターネットに接続され、ユーザー要求によって図５に示す表示画面９，９０を、ＷＷＷサーバ１１が制御プログラム１２と協調して携帯電話端末へ送信する。
【００１６】
一方、基地局４と課金サーバ２とは一般の電話回線３を介して接続されるものであり、課金サーバ２は通信部２０と認証プログラム２１とから構成され、通信部２０が前記電話回線３に接続されている。ここではユーザーの携帯電話端末と課金サーバ２とがインターネット接続に依らず電話回線３で結ばれる点に特徴を有している。
【００１７】
さて前記管理サーバ１は、図２乃至図４で表わす駐車場の施錠装置のロック・アンロックを操作し得るように構成されている。この駐車場の駐車台６は、支柱と梁６０とにより支えられた固定部材６１と、この固定部材６１内をスライドして、最大に引き出された時に傾斜し、自転車の押し上げ引き下げスロープと成るスライド部材６２とによって上段の駐車台が構成されている。これに対して下段の駐車台は、図３に示すようにチャンネル状の下段駐車部材６６を上段の駐車台の真下に設置したものである。
【００１８】
固定部材６１とスライド部材６２とから成る上段の駐車台も下段駐車部材６６も、共に自転車をロック・アンロックするための施錠装置を備えている。ここでは上段のもののみ説明するが、下段に付いてもロック時に自転車を引き出せないようなものであれば任意に取り付けることが出来る。図４は上段の駐車台に於ける固定部材６１とスライド部材６２との組み付け構造を表わしたものであるが、チャンネル状のスライド部材６２はチャンネル状の固定部材６１内にコロ６３等を介して滑動自在に組み付けられている。このスライド部材６２に自転車の前後輪をはめ込むようにして駐車させるものである。
【００１９】
スライド部材６２を固定部材６１の一番奥側まで押し込んだ状態が、自転車の駐車状態と成るが、この時、梁６０内に取り付けたソレノイド７の作動杆７０を挿通し得る同一位置のスライド部材６２の底部に挿通孔６４が、固定部材６１の底部に挿通孔６５が開孔されている。なお符号７１はリード線であるが、後述する制御装置５のＩ／Ｏ（入出力制御部）５０に配線されており、ロック信号により作動杆７０が前記挿通孔６４，６５に挿通されるように成っている。これによりスライド部材６２は固定部材６１から引き出すことが出来なく成り、自転車を上段の駐車台から出庫することが出来なく成る。
【００２０】
制御装置５は図示しない管理室に置かれるが、前記Ｉ／Ｏ５０の他、操作装置５１と表示装置５２とを備えている。配線５３には前記リード線７１と共に給電線が含まれている。制御装置５は上述した管理サーバ１の制御プログラム１２によって動作が管理されている。このようにしてこの実施形態の自転車の駐車システムが構成されている。
【００２１】
この実施形態の自転車の駐車システムの使用法であるが、図示しない携帯電話端末を用いて特定のＵＲＬ(Uniform Resource Locator)アドレスに接続すると、基地局４はゲートウェイと成り、管理サーバ１のＷＷＷサーバ１１から送信されたＷＷＷページを携帯電話端末へ送る。この時の携帯電話端末側の表示画面９を図５の左図で表わしている。このＵＲＬアドレスで特定されるサービスには自転車のレンタルサービスとユーザー所有自転車の駐車（預かり）サービスとが用意されているため、表示画面９ではサービス種別を選択させるフォームメニューが表示されている。ここでレンタルサービスを選び、次いでこのサービスを受ける駐車場を選択し、決定ボタンを押す。なおサービスを受ける駐車場の表示に付いて、制御プログラム１２が基地局４の位置を判断して自動的に最寄りのエリアにある駐車場の住所を複数箇所提示するようにしてもよいし、或いは予めユーザーに利用エリアを登録させ、これに該当する住所を複数箇所提示するようにしてもよい。更には全サービスエリアの駐車場をユーザーに検索させるようにすることも可能である。
【００２２】
決定ボタンが押されると、フォームの値がＷＷＷサーバ１１を介して管理プログラム１２に引き渡され、制御プログラムは最適なＷＷＷページを生成し、これをＷＷＷサーバ１１によりユーザーに送信する。この表示画面９０を図５の右図に示す。この表示画面９０には駐車場の住所及び簡易な地図が示されると共に、電話ボタン９１が表示される。
【００２３】
電話ボタン９１そのものはphone.gifと名付けられた画像であるが、実はここにｐｈｏｎｅｔｏタグが設定されており、この電話ボタン９１が押されるとタグで指定されている電話番号に電話されることに成っている。そのように携帯電話端末のＷＷＷブラウザが解釈するのである。図６では表示画面９０で表示されたＷＷＷページ９２の一部を示している。符号９３がｐｈｏｎｅｔｏタグの記載部であり、tel:の後に続く番号に接続される。実はここがが１に示した課金サーバ２である。
【００２４】
この課金サーバ２と基地局４とは一般の電話回線３を介して接続されていることにより、インターネット接続に依ることなく、ユーザーからの課金情報を安全に受け取ることが出来、サービス提供に対する対価を受け取ることが出来るのである。この後管理サーバ１２はレンタル自転車を予約する。なお符号２０は電話の通信部であり、２１は認証プログラムであり、携帯電話端末のボタンスイッチから入力された口座番号等が真正なものであるか否かを認証する役目をも担っている。なお、認証プログラム２１をオペレータの管理下に置き、ユーザーとオペレータとは肉声でやり取りするように構成することも可能である。なおユーザーがこの操作を駐車場外で行なうか、駐車場内で行なうか、ソレノイド７を動作させるタイミングをいつにするかなどは、システムの設計次第でいかようにも設定し得る。
【００２５】
（第２実施形態）
次に、図７乃至図９を用いて、この発明の第２実施形態を説明する。これは、駐車場囲い８のゲート８０の駐車台８１を利用して、ユーザー所有自転車の駐車（預かり）サービスを受けるためのものである。この実施形態の特徴は、駐車台８１を決定すること、ゲート８０の施錠装置７２のアンロックを行なうことを、携帯電話端末から可能にしようとするものであり、課金情報を電話回線ではなく専用線３０を利用して送信させるものであり、また管理サーバと課金サーバとが一体に構成された管理・課金サーバ１５を使用するものである点に存する。なお符号１６はこの駐車場の管理室である。
【００２６】
この管理・課金サーバ１５には制御プログラム１２の他に、基地局４と専用線３０で結ぶための通信部１４と、認証プログラム１３とが備えられている。なおＷＷＷページの送受信など、特に問題が起こらず一般に閲覧して貰いたいページに付いては、インターネットを介して行なうようにしている。
【００２７】
この制御プログラム１２は図９で示すフローチャートに則った処理を行なう。即ちユーザーに対して空き駐車台８１の検索を行なわせ（ステップＳ１）、その結果に基づく駐車台８１の選択画面の生成と送信とを行なう（ステップＳ２）。この中に前記通信部１４と専用線３０を介して通信を開始するためのタグが挿入されることに成る。
【００２８】
（第３実施形態）
次に、図１０は全ての接続線に専用線３１を用いた実施形態を表わしている。即ち、基地局４と管理サーバ１の通信部１７間、基地局４と課金サーバ２の通信部２２間、管理サーバ１の通信部１７と課金サーバ２の通信部２２間の各々で、専用線３１を使用するようにした。
【００２９】
従って、このシステムでは、全てのデータがインターネットの幾つものルータを通過することがないように成っている。
【００３０】
さてこれまで各種実施形態の説明をして来たが、この発明はこれ等の実施形態に限定されるものではないから、例えば管理サーバ１などはＷＷＷページをプッシュ(Push)技術により送信するようにしても良いし、また専用線３１の代わりに無線通信を利用するようにしても良い。また駐車場外から予約し駐車場内で再度認証するような場合では、予約時にワンタイムパスワードを発行するようにしても良い。レンタルサービスでは、所定のレンタル時間を経過したか否かを計測するためのカウンタなどを設けても良い。ソレノイド７の代わりに、図示しないがモータを利用することが出来る。ギヤードモータの回転軸の運動を、施錠装置の駆動源とする設計は、これまでのものでも任意に利用可能である。
【００３１】
【発明の効果】
以上この発明は、二輪車を駐車装置側にロックするための施錠装置を備え、この施錠装置はその駆動部にソレノイドを使用して成るかまたは電磁モータを使用して成るものである駐車装置と、前記施錠装置のロック・アンロックを操作する管理サーバと、課金を処理する課金サーバと、から成る二輪車の駐車システムに於いて、前記管理サーバはサービスの受け付けを容易なものにするべくインターネットを利用して、ユーザーに対してＷＷＷページを提供し、このＷＷＷページ上でユーザーに特定の駐車装置または二輪車を選択させ、その選択情報を受け付け、且つ後述する課金サーバがユーザーを認証した場合に前記施錠装置のロック・アンロックの操作を行うものであり、前記課金サーバはユーザーからの課金情報を安全に受け取るべくインターネット接続に寄ることなく、前記ＷＷＷページ上に設けた電話呼出タグの部分をユーザーが選択したら前記電話呼出タグに記載された電話番号を呼び出し、この電話を受けてユーザーからの課金情報の入力を受け付けると共にユーザー認証を行ない、認証した場合には前記管理サーバに前記施錠装置のロック・アンロックの操作を依頼すると共に課金を実行するものであることを特徴とする二輪車の駐車システムとなしたものである。またこの発明は、門のロックを行なうための施錠装置を備え、この施錠装置はその駆動部にソレノイドを使用して成るかまたは電磁モータを使用して成るものである駐車場囲いと、前記施錠装置のロック・アンロックを操作する管理サーバと、課金を処理する課金サーバと、から成る二輪車の駐車システムに於いて、前記管理サーバはサービスの受け付けを容易なものにするべくインターネットを利用して、ユーザーに対してＷＷＷページを提供し、このＷＷＷページ上でユーザーに特定の駐車装置または二輪車を選択させ、その選択情報を受け付け、且つ後述の課金サーバがユーザーを認証した場合に前記施錠装置のロック・アンロックの操作を行うものであり、前記課金サーバはユーザーからの課金情報を安全に受け取るべくインターネット接続に寄ることなく、前記ＷＷＷページ上に設けた電話呼出タグの部分をユーザーが選択したら前記電話呼出タグに記載された電話番号を呼び出し、この電話を受けてユーザーからの課金情報の入力を受け付けると共にユーザー認証を行ない、認証した場合には前記管理サーバに前記施錠装置のロック・アンロックの操作を依頼すると共に課金を実行するものであることを特徴とする二輪車の駐車システムとしたものである。
【００３２】
またこの発明は、上記の電話回線の代わりに、アンカータグの記載に基づいてプライベートネットワークを介した通信を行なうものとして設計することが可能である。
【００３３】
またこの発明は、ＷＷＷページの提供、駐車装置または二輪車を選択させるためのユーザーとのセッション、ユーザーからの課金情報の入力の受け付けなどの一連の通信に、プライベートネットワークを利用するものとして設計することが可能である。
【００３４】
上記何れの場合でも、少なくともユーザーからの課金情報だけはセキュアな回線上を流れることになる。
【００３５】
この結果、ＷＷＷによるサービスを受ける手続き上の利便性の上に、より安全な課金システムを被せた二輪車の駐車システムを提供することに成功し、所期の目的を達することが出来た。
【図面の簡単な説明】
【図１】第１実施形態のネットワーク図である。
【図２】同実施形態の駐車装置の模式図である。
【図３】同実施形態の駐車装置の側面図である。
【図４】同実施形態の駐車装置のソレノイド７部分の断面模式図である。
【図５】同実施形態の携帯電話画面９の画面構成図である。
【図６】同実施形態のＣｏｍｐａｃｔ−ＨＴＭＬ文書の書式図である。
【図７】第２実施形態のネットワーク図である。
【図８】同実施形態の駐車場の模式図である。
【図９】同実施形態の検索処理ＣＧＩのフローチャートである。
【図１０】第３実施形態のネットワーク図である。
【符号の説明】
１    管理サーバ
１０  通信部
１１  ＷＷＷサーバ
１２  制御プログラム
１３  認証プログラム
１４  通信部
１５  管理・課金サーバ
１６  管理室
１７  通信部
２    課金サーバ
２０  通信部
２１  認証プログラム
２２  通信部
３    電話回線
３０  専用線
３１  専用線
４    基地局
４０  アンテナ
５    制御装置
５０  Ｉ／Ｏ
５１  操作装置
５２  表示装置
５３  配線
６    駐車台
６０  支柱と梁
６１  固定部材
６２  スライド部材
６３  コロ
６４  挿通孔
６５  挿通孔
６６  下段駐車部材
７    ソレノイド
７０  作動杆
７１  リード線
７２  施錠装置
８    駐車場囲い
８０  ゲート
８１  駐車台
９    表示画面
９０  表示画面
９１  電話ボタン
９２  ＷＷＷページ
９３  ｐｈｏｎｅｔｏタブ
【図１】
0004930739.tif 000002
【図２】
0004930739.tif 000003
【図３】
0004930739.tif 000004
【図４】
0004930739.tif 000005
【図５】
0004930739.tif 000006
【図６】
0004930739.tif 000007
【図７】
0004930739.tif 000008
【図８】
0004930739.tif 000009
【図９】
0004930739.tif 000010
【図１０】
0004930739.tif 000011